【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
複数の樹脂層からなる化粧シートにおいて、前記樹脂層のうち少なくともトップコート層を、超臨界逆相蒸発法によってベシクルに分散剤を内包させた分散剤内包ベシクルと、無機微粒子とを添加して形成し、
前記分散剤が、不飽和炭素結合を有することを特徴とする化粧シート。
【請求項２】
前記無機微粒子が、前記トップコート層の主成分である樹脂組成物１００重量部に対して０．１〜３０重量部配合されていることを特徴とする請求項１に記載の化粧シート。
【請求項３】
前記分散剤が、高分子系の界面活性剤、脂肪酸金属塩、シランカップリング剤、チタネートカップリング剤またはワックスのうち少なくとも１つからなることを特徴とする請求項１または２に記載の化粧シート。
【請求項４】
前記ベシクルが、リン脂質からなる外膜を具備するリポソームであることを特徴とする請求項１乃至３のいずれか１項に記載の化粧シート。
【請求項５】
前記トップコート層の主成分である樹脂組成物が、光硬化型樹脂、光硬化型樹脂および熱硬化型樹脂の混合物であることを特徴とする請求項２乃至４のいずれか１項に記載の化粧シート。
【請求項６】
前記化粧シートが、前記トップコート層の下層において結晶性ポリプロピレン樹脂を主成分とする透明樹脂層を具備しており、
前記透明樹脂層は、前記超臨界逆相蒸発法によってベシクルに造核剤を内包させた造核剤内包ベシクルを添加して形成されていることを特徴とする請求項１乃至５のいずか１項に記載の化粧シート。
【請求項７】
複数の樹脂層からなる化粧シートの製造方法であって、
前記樹脂層のうち少なくともトップコート層を、超臨界逆相蒸発法によってベシクルに分散剤を内包させた分散剤内包ベシクルと、無機微粒子とを添加して形成し、前記分散剤が、不飽和炭素結合を有する不飽和炭素結合を有することを特徴とする化粧シートの製造方法。
【手続補正２】
【補正対象書類名】明細書
【補正対象項目名】発明の名称
【補正方法】変更
【補正の内容】
【発明の名称】化粧シートおよび化粧シートの製造方法
【手続補正３】
【補正対象書類名】明細書
【補正対象項目名】０００１
【補正方法】変更
【補正の内容】
【０００１】
本発明は、建築物の外装および内装に用いられる建装材、建具の表面、家電品の表面材などに用いられる化粧シートおよび化粧シートの製造方法に関するもので、不飽和炭素結合をもつ分散剤と無機微粒子とを添加してなるトップコート層を備えた化粧シートおよび化粧シートの製造方法に関する。
【手続補正４】
【補正対象書類名】明細書
【補正対象項目名】０００６
【補正方法】変更
【補正の内容】
【０００６】
そこで、本発明においては、意匠性の観点から高い透明性と、表面の耐擦傷性およびＶ溝曲げ加工等の後加工の影響を受けない耐後加工性とに優れたトップコート層を有する化粧シートおよび化粧シートの製造方法を提供することを目的とする。
【手続補正５】
【補正対象書類名】明細書
【補正対象項目名】０００７
【補正方法】変更
【補正の内容】
【０００７】
本発明者等は鋭意検討の結果、トップコート層を、超臨界逆相蒸発法によってベシクルに分散剤を内包させた分散剤内包ベシクルと無機微粒子とを添加することにより形成して、トップコート層においてこれらの微粒子の分散性を著しく向上させることに成功し、高い透明性と優れた機械的特性を示すことを見出した。さらに、当該超臨界逆相蒸発法によってベシクルに分散剤を内包させた分散剤内包ベシクルおける分散剤が、ラジカル反応性を示す不飽和炭素結合を有しているものとすることにより、当該分散剤とトップコート層に含まれる光硬化型樹脂とが反応してトップコート層の表面に無機微粒子を固定化し優れた耐擦傷性を得られることを見出し本発明を完成させた。
【手続補正６】
【補正対象書類名】明細書
【補正対象項目名】０００９
【補正方法】変更
【補正の内容】
【０００９】
上記課題を解決するべく、本発明の第１の形態の化粧シートは、複数の樹脂層からなる化粧シートにおいて、前記樹脂層のうち少なくともトップコート層を、超臨界逆相蒸発法によってベシクルに分散剤を内包させた分散剤内包ベシクルと、無機微粒子とを添加して形成し、前記分散剤が、不飽和炭素結合を有することを特徴とする。
【手続補正７】
【補正対象書類名】明細書
【補正対象項目名】００１０
【補正方法】変更
【補正の内容】
【００１０】
このような、本発明の第１の形態の化粧シートとすることにより、超臨界逆相蒸発法によってベシクルに分散剤を内包させた分散剤内包ベシクルと、無機微粒子とを添加してトップコート層を形成することで、当該分散剤内包ベシクルが無機微粒子の二次凝集を抑制して、トップコート層の主成分である樹脂組成物中に無機微粒子を均一に分散させるので優れた透明性と耐擦傷性を有するトップコート層を備えた化粧シートを提供することを可能とする。また、分散剤が不飽和炭素結合を有することにより、当該不飽和炭素結合とトップコート層の主成分である樹脂組成物とが強固に結合し、無機微粒子をトップコート層の表面に固定化するので、当該無機微粒子の脱落を防止して極めて耐擦傷性に優れた化粧シートを提供することができる。
【手続補正８】
【補正対象書類名】明細書
【補正対象項目名】００１９
【補正方法】変更
【補正の内容】
【００１９】
本発明の第６の形態の化粧シートは、前記化粧シートが、前記トップコート層の下層において結晶性ポリプロピレン樹脂を主成分とする透明樹脂層を具備しており、前記透明樹脂層は、前記超臨界逆相蒸発法によってベシクルに造核剤を内包させた造核剤内包ベシクルを添加して形成されていることを特徴とする。このような、本発明の第６の形態の化粧シートとすることにより、優れた透明性、耐擦傷性および耐後加工性を有する透明樹脂層を具備した化粧シートを提供することができる。
【手続補正９】
【補正対象書類名】明細書
【補正対象項目名】００２０
【補正方法】変更
【補正の内容】
【００２０】
本発明の化粧シートの製造方法は、複数の樹脂層からなる化粧シートの製造方法であって、前記樹脂層のうち少なくともトップコート層を、超臨界逆相蒸発法によってベシクルに分散剤を内包させた分散剤内包ベシクルと、無機微粒子とを添加して形成し、前記分散剤が、不飽和炭素結合を有する不飽和炭素結合を有することを特徴とする。
【手続補正１０】
【補正対象書類名】明細書
【補正対象項目名】００２１
【補正方法】変更
【補正の内容】
【００２１】
本発明においては、意匠性の観点から高い透明性と、表面の耐擦傷性およびＶ溝曲げ加工等の後加工の影響を受けない耐後加工性とに優れたトップコート層を有する化粧シートおよび化粧シートの製造方法を提供することを可能とする。
【手続補正１１】
【補正対象書類名】明細書
【補正対象項目名】００２３
【補正方法】変更
【補正の内容】
【００２３】
本発明の化粧シートは、複数の樹脂層からなる化粧シートにおいて、トップコート層を、超臨界逆相蒸発法によってベシクルに分散剤を内包させた分散剤内包ベシクルと、無機微粒子とを添加して形成し、さらに、当該分散剤が不飽和炭素結合を有していることが重要である。
【手続補正１２】
【補正対象書類名】明細書
【補正対象項目名】００５６
【補正方法】変更
【補正の内容】
【００５６】
以上のように、本発明の化粧シート１においては、トップコート層５を、超臨界逆相蒸発法によってベシクルに分散剤を内包させた分散剤内包ベシクルと無機微粒子とを添加して形成することにより、当該無機微粒子を凝集させることなく均一に分散させることが可能となり、化粧シート１に要求される透明性を保持し、さらに優れた耐擦傷性を備えた化粧シート１を提供することを可能とする。
【手続補正１３】
【補正対象書類名】明細書
【補正対象項目名】００８３
【補正方法】変更
【補正の内容】
【００８３】
本発明の化粧シートおよび化粧シートの製造方法は、上記の実施形態および実施例に限定されるものではなく、発明の特徴を損なわない範囲において、種々の変更が可能である。